(57)【特許請求の範囲】
【請求項１】
回転するボーリングロッド（１）に外管用ヘッド（２）を介して外管（３）を垂下し、外管用ヘッド（２）から垂下する支軸（４）に対して内管用ヘッド（６）を回転伝達不能に連結し、複数本のチューブを接続した内管（８）を、内管用ヘッド（６）から垂下し、外管（３）と内管（８）の間に流体用通路（９）を備えたコア採取装置において、
内管用ヘッド（６）に対してアタッチメント（７）を介して内管の最上段のチューブ（２０）を着脱自在に連結し、内管の最上段のチューブ（２０）が、突き合わせて円筒形になる一対の半割体（２４）であって、突き合わせた両半割体（２４）の上部にアタッチメント（７）を嵌め込んで係止具（１８）で固定することによって円筒形を保持することを特徴とするコア採取装置。
【発明の詳細な説明】
【０００１】
【発明の属する技術分野】
本発明は、地すべり調査や断層調査のような地盤の破壊箇所を特定する調査において、調査地の地盤を採取するが、その際に高品質なコアの採取を行うことを目的としたコア採取装置に関するもので、構造的に詳しく言えば外管の内側に内管を有する二重管構造のコア採取装置に関する。
【０００２】
【従来の技術】
二重管構造のコア採取装置は、通常、内管が複数本のチューブを接続したものであって、ボーリングロッドに対して内管を回転伝達不能に連結し、内管の最上段のチューブにコアを取り込むものである。
【０００３】
ところが、最上段のチューブは円筒形であるので、中に詰まったコアを調査するには、コアを押し出して取り出すことになり、その際にコアが乱れるという問題がある。また、コア採取装置の中には、内管の内側に、一対の半割体を突き合わせて円筒形となる採取管を保持し、採取管に詰まったコアを半割体を外して調査できるものもあるが、採取管の肉厚分だけ、採取できるコアの径が小さくなり、且つ掘削面積の増大によって掘削スピードが遅くなり、掘削面である地盤を損傷し、採取するコアを乱してしまうという問題がある。
【０００４】
そこで本発明者は、採取管と同様に、内管の最上段のチューブを一対の半割体を突き合わせて形成し、コアを内管に直に取り込んで、半割体を外して調査することを思いついた。しかし、最上段のチューブは従来は円筒形であったので、ボーリングロッド側にねじ込んで連結することができたが、一対の半割体とすると同じ要領では固定できない。しかも、コアを取り込んでいる最中は円筒形を保持していないと、取り込んだコアが乱れることになるので、一対の半割体を一体化する必要がある。
【０００５】
【発明が解決しようとする課題】
本発明は上記実情を考慮して開発されたもので、その目的は、内管の最上段のチューブを半割体にしながらも、コアを取り込んでいる間、円筒形を保持できるように一体化することである。
【０００６】
【課題を解決するための手段】
本発明は、回転するボーリングロッドに外管用ヘッドを介して外管を垂下し、外管用ヘッドから垂下する支軸に対して内管用ヘッドを回転伝達不能に連結し、複数本のチューブを接続した内管を、内管用ヘッドから垂下し、外管と内管の間に流体用通路を備えたコア採取装置において、内管用ヘッドに対してアタッチメントを介して内管の最上段のチューブを着脱自在に連結し、内管の最上段のチューブが、突き合わせて円筒形になる一対の半割体であって、突き合わせた両半割体の上部にアタッチメントを嵌め込んで係止具で固定することによって円筒形を保持することを特徴とする。
【０００７】
係止具は、半割体をアタッチメントに固定できるものを意味し、一例としてはビスが挙げられる。また、流体としては、水や粘性のある液体や気泡が挙げられる。
【０００８】
【発明の実施の形態】
本発明のコア採取装置は図１、図２に示すように、ボーリングロッド１に外管用ヘッド２を介して外管３を垂下し、外管用ヘッド２から支軸４を垂下し、支軸４の先部にベアリング５を介して内管用ヘッド６を取り付け、内管用ヘッド６からアタッチメント７を介して内管８を垂下し、外管３と内管８の間に流体用通路９を設け、外管３の先にビット１０を取り付けてある。
【０００９】
外管３は、複数個の管をねじ込んで上下方向に連結したもので、最上段の管を外管用ヘッド２にねじ込み、最下段の管にビット１０をねじ込んである。
【００１０】
内管用ヘッド６は、複数のブロックをねじ込んで一体化したもので、ベアリング５の上に筒状の上側ブロック１１を、内鍔を利用して被せ、上側のブロック１１に下側のブロック１２をねじ込み、下側ブロック１２の底面中央部に、アタッチメント７を嵌める下向き穴１３を空けてある。
【００１１】
アタッチメント７は、その上部に、下向き穴１３に嵌める上向き凸部１４を有し、中間部には環状の鍔１５を備え、鍔１５の下には、内管８に嵌める下向き凸部１６を有し、上向き凸部１４の外周にはＯリング１７を嵌め、下向き凸部１６の外周には、係止具１８（ネジ）用の止め穴１９を複数空けてある。Ｏリングの弾力性でアタッチメント７を内管用ヘッド６に取り付けてあるので、アタッチメント７と内管用ヘッド６との着脱作業は、単に差し込みと引き抜き操作となり、迅速に行える。
【００１２】
内管８は、複数のチューブを嵌め込んで上下に接続したもので、最上段のチューブ２０を、コア取込み用のインナーチューブとし、インナーチューブ２０に、支持チューブ２１、インナーエクステンション２２、コアリフターケース２３を順次抜き差し自在に嵌め込んである。
【００１３】
インナーチューブ２０は図３に示すように、断面半円形の一対の半割体２４を突き合わせて円筒形となし、その上部にネジ止め用の孔２５を複数空けたものである。
【００１４】
支持チューブ２１は図２に示すように、その上部でインナーチューブ２０の下部を外側から囲み、中間部には、インナーチューブ２０の下端を支える環状突片２６を有する。
【００１５】
インナーエクステンション２２は、その上部が支持チューブ２１の下部内側に深く入り込むものであって、支持チューブ２１とインナーエクステンション２２との間に、袋を差し込むポケット２７を形成してある。
【００１６】
コアリフターケース２３は、上部内周よりも下部内周が狭くなるテーパー形状で、その内側に断面Ｃ字状のコアリフター２８を昇降自在に嵌め込んである。掘削時には、コアＣがビット１０から侵入してコアリフターケース２３をコアリフター２８ごと押し上げ、コアリフター２８の径が広まってインナーチューブ２０にコアＣが袋に包まれた状態で取り込まれる。また、掘削後にボーリングロッド１を引き上げると、コアリフターケース２３がビット１０の内向き段部２９で支えられ、コアリフターケース２３内を下降したコアリフター２８が径を狭めてコアＣをくわえ込み、コアＣの落下を防ぐ。
【００１７】
本発明は上記実施形態に限定されるものではない。例えば、アタッチメント７と内管用ヘッド６との連結は、上向き凸部１４に嵌めたＯリング１７の弾力性を利用して、下向き穴１３に嵌め込むだけでなく、ネジ接合するための雄ネジと雌ネジを用いる等の他の手法を用いても良い。
【００１８】
【発明の効果】
本発明は、一対の半割体の上部にアタッチメントを嵌め込んで係止具で固定したので、円筒形が確実に保持されることになり、その結果、円筒内にコアが乱れることなくそのまま取り込まれる。従って、係止具を外してから半割体を開けば、取り込んだ状態のコアを崩さずに調査することができ、調査精度が向上する。なお、半割体を開いた後に、別途用意した収納用の半割体に移し換えて、コアを崩さずに保存しておくこともできる。
【図面の簡単な説明】
【図１】本発明のコア採取装置の上部を示す縦断面図である。
【図２】コア採取装置の下部を示す縦断面図である。
【図３】最上段のチューブとアタッチメントとの連結関係を示す縦断面図である。
【符号の説明】
１  ボーリングロッド
２  外管用ヘッド
３  外管
４  支軸
６  内管用ヘッド
７  アタッチメント
８  内管
９  流体用通路
１８  係止具
２０  最上段のチューブ（インナーチューブ）
２４  半割体
【図１】
0003676292.tif 000002
【図２】
0003676292.tif 000003
【図３】
0003676292.tif 000004